(57)【特許請求の範囲】
【請求項１】
建物の壁に設けられた窓や出入口等の開口に窓枠や戸枠等の枠を取り付けるために設けられている額縁の固定金具であって、
先端から中間部までスリット状に切欠され、この切欠された部分が左右に拡げられた二股部と切欠されない本体部とからなる金属製の取付片と、この二股片の先端が外側方向に折曲されて形成された左右に突出した金属製の額縁固定片とからなり、本体部の延長線から額縁固定片の左と右の先端までの距離がそれぞれ異なる長さになされていると同時に、左右の額縁固定片の一端から他端までの長さが、この額縁固定片の左右の先端を係止させるために設けられている左右の額縁の係止部間の距離より長くなされていることを特徴とする額縁固定金具。
【発明の詳細な説明】
【０００１】
【発明の属する技術分野】
本発明は建物の壁に設けられた窓や出入口等の開口に窓枠や戸枠等の枠を取り付けるために設けられている額縁の取付構造に使用する額縁固定金具に関する。特に、プレハブ住宅に好適な額縁固定金具に関する。
【０００２】
【従来の技術】
従来、建物の壁に設けられた窓や出入口等の開口に窓枠や戸枠等の枠を取り付ける構造としては種々あるが、もっとも多く採用されている構造としては、実開昭６３−１２７５９１号公報に記載されている構造がある。この開口の構造は、壁に開口を開け、この開口に窓枠や戸枠等の枠を室外側から嵌め込み、この枠を開口近傍に設けられている木製の柱、梁、軸組、マグサ等の壁内構造材に取り付ける。そして、開口の室内側から額縁を嵌め込み、この額縁を壁内構造材の室内側に取り付けたり、額縁と枠とを連結して、この額縁と枠の両方で開口の端面を覆って、開口から壁の内部が見えないようにした構造である。
【０００３】
一方、プレハブ住宅は予め工場等で製造された部品を施工現場で単に組み立てて建物とするものであり、現場施工工数が少なく、現場施工期間が短いという特徴と、寸法精度のよい建物となる特徴があることから、住宅に多く採用されている。特に、鉄骨のプレハブ住宅は地震や火災に強いので多く建てられている。
【０００４】
この鉄骨のプレハブ住宅では、壁の中に設けられる柱、梁、軸組、マグサ等の壁内構造材が鉄製であるので、内壁材等を直接壁内構造材に取り付け難い。従って、通常、この鉄製の軸組等の壁内構造材の室内側に木製の内壁枠を取り付け、この内壁枠等に内壁材を取り付けている。そして、出入口や窓等の開口の構造は、前記構造とほぼ同じであるが、額縁を壁内構造材に取り付けていない。
【０００５】
この開口の構造を、図８を参照しながら説明する。壁の構造は、軸組等の鉄製の壁内構造材１００の室内側に木製の内壁枠２００が取り付けられ、この内壁枠２００に内壁材３００が取り付けられている。そして、壁に開口を設けた開口の構造は、この開口の室外側から窓枠や戸枠等の枠４００を嵌め込み、この枠４００を開口近傍の軸組等の壁内構造材１００に取り付け、開口の室内側から断面Ｌ字形の長尺体である額縁５００を嵌め込み、この断面Ｌ字形の室内側５０１を内壁材３００に当接させた後、枠４００の室内側４０１と額縁５００の室外側５０２とをビス６００で連結した構造をしている。
【０００６】
【発明が解決しようとする課題】
しかし、この構造では、額縁５００は、壁内構造材１００に取り付けられていない。即ち、室外側５０２が枠４００の室内側４０１に取り付けられているだけである。従って、枠を押さえたりすると、変形したり移動し易いという問題がある。そこで、額縁５００の室内側５０１を軸組等の壁内構造材１００に固定したいが、壁内構造材１００の室内側に内壁枠２００が取り付けられ、この内壁枠２００に内壁材３００が取り付けられ、この内壁材３００に当接されて額縁５００が取り付けられている関係で、額縁５００の室内側と壁内構造材１００とが離れていて、額縁５００の室内側と壁内構造材１００とを固定する適当な固定手段が見いだされていなかった。
【０００７】
又、内壁材３００の厚みは建物を建てる場所や、建物の目的、例えば、要求される耐火性能の程度等によって内壁材の厚みは異なる。例えば、通常のアパートの壁に使用される内壁材３００の厚みは９．５ｍｍであるが、住宅金融公庫の融資の対象となるアパートの壁に使用される内壁材３００の厚みは１２．５ｍｍである。
【０００８】
このように内壁材３００の厚みが異なると、軸組等の壁内構造材１００から内壁材３００に当接させて取り付けられる額縁５００までの距離は内壁材３００の厚みの差だけ異なる。そして、この壁内構造材１００から額縁５００までの異なる距離は、額縁５００の室外側５０２と、壁内構造材１００に取り付けられている枠４００の室外側４０１との重合の程度を加減することによって吸収している。
【０００９】
もし、額縁５００の室内側５０１を壁内構造材１００に固定するときには、この内壁材３００の厚みの差によって発生する額縁５００と壁内構造材１００との異なる距離にも配慮する必要がある。この際、プレハブ住宅でない場合には壁内構造材１００に額縁５００を固定する適当な金具をその都度製造してもよいが、プレハブ住宅は大量生産する関係で部品点数をできるだけ少なくすることが望ましい。そこで、本発明の目的は、額縁が移動しないように額縁の室内側を固定した額縁の取付構造に使用するものであって、厚みが異なる２種類の内壁材でも１種類で対応できる額縁固定金具を提供することである。
【００１０】
【課題を解決するための手段】
本発明は上記目的を達成するためになしたものであって、建物の壁に設けられた窓や出入口等の開口に窓枠や戸枠等の枠を取り付けるために設けられている額縁の固定金具であって、先端から中間部までスリット状に切欠され、この切欠された部分が左右に拡げられた二股部と切欠されない本体部とからなる金属製の取付片と、この二股片の先端が外側方向に折曲されて形成された左右に突出した金属製の額縁固定片とからなり、本体部の延長線から額縁固定片の左と右の先端までの距離がそれぞれ異なる長さになされていると同時に、左右の額縁固定片の一端から他端までの長さが、この額縁固定片の左右の先端を係止させるために設けられている左右の額縁の係止部間の距離より長くなされているものである。
【００１１】
（作用）本発明では、先端から中間部までスリット状に切欠され、この切欠された部分が左右に拡げられた二股部と切欠されない本体部とからなる金属製の取付片と、この二股部の先端が外側方向に折曲されて形成された左右に突出した金属製の額縁固定片とからなり、左右の額縁固定片の一端から他端までの長さが、この額縁固定片の左右の先端を係止させるために設けられている額縁の係止部間の距離より長くなされているから、予め、額縁に、額縁固定片の左右の先端を係止させる係止部を設けていて、金属製の取付片の二股部を外側から押さえて、左右に突出した金属製の額縁固定片間の距離を額縁に設けられている左右の係止部間の距離より縮めた状態にして、額縁に設けられている係止部の間に挿入した後、額縁固定片間の距離を縮めていた力を除く。
【００１２】
すると、金属製の取付片の二股部が、元の距離に戻ろうとする弾性によって広がり、額縁固定片が額縁の係止部に係止されると同時に、取付片の二股部が更に拡がろうとする弾性で額縁固定片を絶えず押す力によって額縁固定金具に強固に取り付けられる。
【００１３】
又、この発明では、本体部の延長線から額縁固定片の左と右の先端までの距離がそれぞれ異なる長さになされているから、内壁材の厚さが異なる場合には、長さの異なる一方の額縁固定片を室内側にしたり室外側にして額縁固定金具を内壁枠に取り付けるというように、額縁固定片の左と右を逆にして使用することにより額縁固定金具の取付片と額縁の固定位置との距離を変えることができ、２種類の内壁材に対応することができる。従って、内壁材の厚みの異なる度に額縁固定金具を取り変える場合に比較して、額縁固定金具を少なくすることができ、この発明の額縁固定金具はプレハブ住宅に好適である。
【００１４】
【発明の実施の形態】
次に、本発明の実施の形態を玄関ドアの額縁の取付構造に適用した実施例で説明する。図１は玄関ドアを室内側から見た正面図、図２は図１のＡ−Ａ線における断面図、図３は額縁固定金具を取り付けている状態を示す斜視断面図、図４は額縁固定金具の正面図、図５は額縁固定金具で額縁の室内側が固定されている状態を示す平面図である。
【００１５】
図１〜図５において、１は壁であり、この壁１の中には、図２に示すように、壁内構造材である断面Ｃ形の長尺体の鋼製の軸組２が設けられ、この軸組２の室外側に図示しない外壁材が取り付けられ、この軸組２の室内側に木製の内壁枠４が取り付けられ、この内壁枠４に内壁材３が取り付けられている。５は壁１の開口に取り付けられた玄関の玄関ドアであり、この玄関ドア５は、図１に示すように、アルミニウム製の枠５１と、この枠５１に滑動自在に取り付けられた２枚の引き戸５２、５２とからなる。尚、この開口の両側の壁１の中には、図２に示すように、軸組２が立設されている。枠５１は室外側から開口に嵌められ、軸組２に図示しないビスで取り付けられている。
【００１６】
６は開口の室内側に嵌め込まれた断面Ｌ字形の長尺体の塩化ビニル樹脂製の額縁であり、図３および図５に示すように、この額縁６の断面Ｌ字形の一方の片の内側面には鉤形に突出した係止部６１が、又、断面Ｌ字形の他方の片の内側面には突出した係止部６２が設けられている。尚、この係止部６１の先端の鉤部分６１１と突出した係止部６２とは向かいあっている。そして、この係止部６１と係止部６２間の距離Ｈはほぼ３７ｍｍである。
【００１７】
７は額縁固定金具であり、この額縁固定金具７は、図４に示すように、金属製の取付片７１と、この取付片７１の一端から左右に突出した額縁固定片７２、７３とからなるＴ字形の金具であり、額縁固定片７２の先端にはバネ板である係止片７２１、７３１が斜め後方向に突出した状態に設けられている。この係止片７２１、７３１は、それぞれ額縁６の係止部６１、６２に係止可能な形状をしている。
【００１８】
この取付片７１は長さがほぼ１３３ｍｍ、幅がほぼ４０ｍｍ、厚みがほぼ１．０ｍｍの板状体であり、額縁固定片７２の取付片７１から係止片７２１の先端までの距離はほぼ１６．５ｍｍであり、係止片７２１を除いた額縁固定片７１の厚みはほぼ１．０ｍｍ、幅がほぼ４０ｍｍである。また、額縁固定片７３の取付片から係止片７３１までの距離はほぼ１９．５ｍｍであり、係止片７３１を除いた額縁固定片７３の厚みはほぼ１．０ｍｍ、幅がほぼ４０ｍｍである。そして、係止片７２１、７３１はそれぞれ額縁固定片７２、７３から斜め後方向に折曲されている。
【００１９】
このようになっているので、係止片７２１の先端から係止片７３１の先端までの距離（Ｈ−１）はほぼ３７ｍｍであり、この距離（Ｈ−１）は、額縁６の係止部６１と係止部６２との距離Ｈとほぼ同じである。従って、図５に示すように、額縁６の係止部６１、６２の間に額縁固定片７２、７３を押し付けると、この額縁固定片７２、７３の先端の係止片７２１、７３１が係止部６１、６２に押されて後方向に変形して額縁固定片７２、７３が額縁６の係止部６１、６２の間に入る。そして、係止片７２１、７３１が係止部６１、６２を通過すると、係止片７２１、７３１を押し付けていた係止部６１、６２がなくなり、係止片７２１、７３１が元の形状に戻ろうとする弾性により突出し、係止片７２１、７３１が係止部６１、６２に引っ掛かって額縁固定片７２、７３と額縁６とが外れなくなる構造をしている。
【００２０】
この開口の構造は次に示す構造になっている。即ち、図２に示すように、枠５１が室外側から開口に嵌められ、この枠５１が開口近傍の軸組２に取り付けられ、額縁６が開口の室内側から嵌められ、この額縁６の室外側が枠５１の室内側にビス８で連結されている。又、開口近傍の内壁枠４には、額縁固定金具７の取付片７１が取り付けられ、この額縁固定金具７の係止片７２１、７３１が額縁６の係止部６１、６２に係止されて、額縁６の室内側が内壁枠４に固定されている。
【００２１】
次に、玄関となる玄関ドア５を取り付ける方法および作用について説明する。壁１に設けられた開口に枠５１を室外側から嵌め込み、この枠５１を軸組２に取り付ける。次に、開口近傍の軸組２に取り付けられた内壁枠４に額縁固定金具７を取り付ける。
【００２２】
この内壁枠４に額縁固定金具７を取り付ける方法を更に詳細に説明すると、内壁材３の厚みがほぼ９．５ｍｍのときには、長さがほぼ１６．５ｍｍの額縁固定片７２を室内方向にし、又、内壁材３の厚みがほぼ１２．５ｍｍであるときには、長さがほぼ１９．５ｍｍの額縁固定片７３を室内方向にし、図３に示すように、取付片７１に設けられている通孔７５に通されたビス８１を内壁枠４に螺入して、額縁固定金具７を内壁枠４に取り付ける。
【００２３】
次に、内壁材３を内壁枠４に取り付ける。次に、室内側から額縁６を開口に嵌め込む。その際、額縁６の内側面に設けられている係止部６１、６２を額縁固定金具７の額縁固定片７２、７３に押し付けながら、額縁６の室外側を枠５１の内側に押し込む。
【００２４】
このように、額縁６の係止部６１、６２の間に額縁固定片７２、７３に押し付けると、この額縁固定片７２、７３の先端の係止片７２１、７３１が係止部６１、６２に押されて後方向に変形して額縁固定片７２、７３が額縁６の係止部６１、６２の間に入る。更に強く押し付けると係止片７２１、７３１が係止部６１、６２を通過すると、係止片７２１、７３１を押し付けていた係止部６１、６２がなくなり、係止片７２１、７３１が元の形状に戻ろうとする弾性により突出し、係止片７２１、７３１が係止部６１、６２に引っ掛かって額縁固定片７２、７３から額縁６が外れなくなり、額縁６の室内側が額縁固定片７２、７３で内壁枠４に固定される。
【００２５】
次に、額縁６の室内側が内壁材３に当接するまで室外方向に押し、図２に示すように、枠５１の室内側に設けられている通孔５５に挿入されたビス８を額縁６に螺入すると、額縁６の室外側が枠５１に取り付けられる。このようにして取り付けられた額縁６は、室外側が枠２を介して軸組２に取り付けられ、室内側が額縁固定金具７、内壁枠４を介して軸組２に固定されているので、額縁６は移動しないようにシッカリと固定され、額縁６を押さえても変形したり、移動しなくなる。
【００２６】
又、内壁材３の厚みがほぼ９．５ｍｍ、ほぼ１２．５ｍｍと異なり、ほぼ３ｍｍの差がある場合には、軸組２と内壁材３に当接されて取り付けられる額縁６との距離にほぼ３ｍｍの差が生じるが、額縁固定金具７の額縁固定片７２、７３を逆にすることにより支障なく取り付けることができる。
【００２７】
即ち、額縁固定片７２、７３の取付片７１から左右の額縁固定金具７の先端までの距離がそれぞれほぼ１６．５ｍｍとほぼ１９．５ｍｍと異なり、ほぼ３ｍｍの差があるから、内壁材３の厚さがほぼ９．５ｍｍとほぼ１２．５ｍｍというように、ほぼ３ｍｍの差があっても、一方の額縁固定片７２を室内側にしたり室外側にして内壁枠４に取り付けるというように、額縁固定片７２と額縁固定片７３とを逆に使用することにより額縁固定金具７の取付片７１と額縁６の固定位置との距離を変えることができ、２種類の内壁材３に対応することができる。
【００２８】
このように、内壁材３の厚さが異なる場合には、額縁固定片７２の左と右を逆にして使用することにより額縁固定金具７の取付片７１と額縁６の固定位置との距離を変えることができ、２種類の内壁材３に対応することができる。従って、内壁材の厚みが異なる度に取り変える場合に比較して額縁固定金具を少なくすることができ、この額縁固定金具７はプレハブ住宅に好適である。最後に、この枠５１に２枚の引き戸５２、５２を取り付けたり、その他種々な仕上げを行うと玄関ドア５の取付工事が完了する。
【００２９】
図６は本発明の実施例を示すもので、額縁固定金具の斜視図である。この図６に示す実施例を図１〜図５に示す実施例と比較すると、額縁固定金具７ａの構造が異なる。従って、この額縁固定金具７ａについて説明する。
【００３０】
額縁固定金具７ａは、先端から中間部までスリット状に切欠され、この切欠された部分を左右に拡げられた二股部７７ａ、７８ａと切欠されない本体部７６ａとからなる金属製の取付片７７ａと、この二股部７７ａ、７８ａの先端が外側方向に折曲され両側に突出した金属製の額縁固定片７２ａ、７３ａとからなる。そして、本体部７６ａの延長線Ｘから額縁固定片７２ａ、７３ａの先端までの距離（Ｈ−３、Ｈ−４）はそれぞれ２０ｍｍ、２３ｍｍとなっている。この左右の額縁固定片７２ａ、７３ａの一端から他端までの長さ（Ｈ−２＝ほぼ４３ｍｍ）は、図１〜図５に示す実施例の額縁の係止部間の距離（Ｈ＝２７ｍｍ）より長くなされている。その他の構造は図１〜図５に示す実施例とほぼ同じであるから説明を省略する。
【００３１】
この額縁固定金具７ａで額縁を固定する方法は、次に示す方法を除いて図１〜図５に示す実施例とほぼ同じであるので、この異なる方法のみを説明する。先ず、額縁には図１〜図５に示す実施例と同じ係止部が設けられている。そして、額縁固定金具７ａの左右に拡げられた金属製の二股部７７ａ、７８ａを外側から押して、額縁固定片７２ａ、７３ａ間の距離を額縁の左右の係止部間の距離より小さくなるまで狭め、額縁固定片７２ａ、７３ａを額縁に設けられている係止部の間に挿入し、額縁固定片７２ａ、７３ａ間の距離を縮めていた力を除く。
【００３２】
すると、金属製の二股部７７ａ、７８ａが、元の距離に戻ろうとする弾性によって拡がり、額縁固定片７２ａ、７３ａが額縁の係止部に係止されると同時に、この二股部７７ａ、７８ａが更に拡がろうとする力によって額縁が額縁固定片７２ａ、７３ａに強固に取り付けられる。その他の施工方法および作用は図１〜図５に示す実施例とほぼ同じであるので説明を省略する。
【００３３】
【発明の効果】
以上詳述したように、本発明は、先端から中間部までスリット状に切欠され、この切欠された部分が左右に拡げられた二股部と切欠されない本体部とからなる金属製の取付片と、この二股部の先端が外側方向に折曲されて形成された左右に突出した金属製の額縁固定片とからなり、左右の額縁固定片の一端から他端までの長さが、この額縁固定片の左右の先端を係止させるために設けられている額縁の左右の係止部間の距離より長くなされているから、左右に突出した金属製の額縁固定片間の距離を縮めて、額縁固定片を額縁に設けられている係止部の間に挿入し、額縁固定片間の距離を縮めていた力を除くと、取付片の二股部が元に戻ろうとする弾性により額縁固定片が額縁の係止部に係止されると同時に、二股部が更に拡がろうとする弾性で額縁固定片を絶えず押す力によって額縁が額縁固定金具に強固に取り付けられる。
【００３４】
又、この発明では、本体部の延長線から額縁固定片の左と右の先端までの距離がそれぞれ異なる長さになされているから、内壁材の厚さが異なる場合には、額縁固定片の左と右を逆にして使用することにより額縁固定金具の取付片と額縁の固定位置との距離を変えることができ、２種類の内壁材に対応することができる。従って、内壁材の厚みの異なる度に額縁固定金具を取り変える場合に比較して、額縁固定金具を少なくすることができ、この発明の額縁固定金具はプレハブ住宅に好適である。
【図面の簡単な説明】
【図１】玄関ドアを室内側から見た正面図である。
【図２】図１のＡ−Ａ線における斜視断面図である。
【図３】額縁固定金具を取り付けている状態を示す斜視断面図である。
【図４】額縁固定金具の正面図である。
【図５】額縁固定金具で額縁の室内側が固定されている状態を示す平面図である。
【図６】本発明の実施例を示すもので、額縁固定金具の斜視図である。
【図７】従来の額縁の取付構造を示す斜視断面図である。
【符号の説明】
１壁
２壁内構造材（軸組）
３内壁材
４内壁枠
５玄関ドア
５１枠
６額縁
６１、６２係止部
７、７ａ額縁固定金具
７１、７１ａ取付片
７２、７２ａ額縁固定片
７２１係止片
７３、７３ａ額縁固定片
７３１係止片
７６ａ本体部
７７ａ、７８ａ二股部
【図１】
0004008155.tif 000002
【図２】
0004008155.tif 000003
【図３】
0004008155.tif 000004
【図４】
0004008155.tif 000005
【図５】
0004008155.tif 000006
【図６】
0004008155.tif 000007
【図７】
0004008155.tif 000008